(57)【要約】【課題】              広告配信側ユーザ側双方にとって負担が少なく、また、良好な広告効果が期待できる広告配信システムの提供。【解決手段】      商品管理装置と情報サーバとを接続し、予め定める携帯端末に広告情報を配信する構成を採る。この広告配信システムにおいて、前記商品管理装置は、予め定める常備商品リストと前記商品収納部に格納された商品との間に差異が生じた場合に、当該差異情報を送信する異動報知部と、を備える。また、前記情報サーバは、各種の商品と関連付けられた広告情報を記憶保持する広告情報記憶部と、前記商品管理装置と関連付けられた宛先情報を記憶保持する利用者情報記憶部と、前記商品管理装置から前記差異情報を受信した場合に前記差異情報に対応する広告情報を前記商品管理装置に対応する宛先に送信する制御部と、を備える。【選択図】            図１
2006260055.tif 000002
【特許請求の範囲】
【請求項１】
商品を収納する商品収納部と、前記各商品に付された無線タグを読み出すタグ読出部と、予め定める常備商品リストと前記商品収納部に格納された商品群との間に差異が生じた場合に、当該差異情報を送信する異動報知部と、を備える商品管理装置と、
所定の属性情報が与えられた広告情報を記憶保持する広告情報記憶部と、前記商品管理装置と関連付けられた宛先情報を記憶保持する利用者情報記憶部と、前記商品管理装置から受信した差異情報と前記広告情報の属性情報に基いて選択した広告情報を、前記差異情報が送信された商品管理装置に対応する宛先に送信する制御部と、を備える情報サーバと、を接続したこと、
を特徴とする広告配信システム。
【請求項２】
商品を収納する商品収納部と、前記各商品に付された無線タグを読み出すタグ読出部と、前記商品収納部に格納された商品群を監視し、所定時間前の商品群との差異が生じた場合に、当該差異情報を送信する異動報知部と、を備える商品管理装置と、
所定の属性情報が与えられた広告情報を記憶保持する広告情報記憶部と、前記商品管理装置と関連付けられた宛先情報を記憶保持する利用者情報記憶部と、前記商品管理装置から受信した差異情報と前記広告情報の属性情報に基いて選択した広告情報を、前記差異情報が送信された商品管理装置に対応する宛先に送信する制御部と、を備える情報サーバと、を接続したこと、
を特徴とする広告配信システム。
【請求項３】
前記情報サーバは、受信した差異情報を前記利用者情報記憶部に登録するとともに、広告情報の更新がなされたタイミングで、該広告情報に適合する差異情報が登録された宛先を選択し、前記更新された広告情報を送信すること、
を特徴とする請求項１又は２に記載の広告配信システム。
【請求項４】
前記商品管理装置は、冷蔵庫であること、を特徴とする請求項１乃至３いずれか一に記載の広告配信システム。
【請求項５】
前記商品管理装置は、薬品収納庫であること、を特徴とする請求項１乃至３いずれか一に記載の広告配信システム。
【請求項６】
商品を収納する商品収納部と、前記各商品に付された無線タグを読み出すタグ読出部と、を備える商品管理装置において、
所定の属性情報が与えられた広告情報を記憶保持する広告情報記憶部と、前記商品管理装置と関連付けられた宛先情報を記憶保持する利用者情報記憶部と、を備える情報サーバと接続され、
前記商品収納部に格納された商品群を監視し、所定時間前の商品群との間に差異が生じた場合に、当該差異情報を前記情報サーバに送信する異動報知部を備え、
前記情報サーバをして、受信した差異情報に対応する属性情報を有する広告情報を送信させること、
を特徴とする商品管理装置。
【請求項７】
商品を収納する商品収納部と、前記各商品に付された無線タグを読み出すタグ読出部と、を備える商品管理装置において、
所定の属性情報が与えられた広告情報を記憶保持する広告情報記憶部と、前記商品管理装置と関連付けられた宛先情報を記憶保持する利用者情報記憶部と、を備える情報サーバと接続され、
予め定める常備商品リストと前記商品収納部に格納された商品群との間に差異が生じた場合に、当該差異情報を情報サーバに送信する異動報知部を備え、
前記情報サーバをして、受信した差異情報に対応する属性情報を有する広告情報を送信させること、
を特徴とする商品管理装置。
【請求項８】
前記商品収納部は、少なくとも冷蔵機能を有すること、を特徴とする請求項６又は７に記載の商品管理装置。
【請求項９】
請求項６乃至８いずれか一に記載の商品管理装置と接続された情報サーバにおいて、
所定の属性情報が与えられた広告情報を記憶保持する広告情報記憶部と、
前記商品管理装置と関連付けられた宛先情報を記憶保持する利用者情報記憶部と、
前記商品管理装置から受信した差異情報と前記広告情報の属性情報に基いて選択した広告情報を、前記差異情報が送信された商品管理装置に対応する宛先に送信する制御部と、を備えること、
を特徴とする情報サーバ。
【請求項１０】
前記商品管理装置から受信した差異情報を前記利用者情報記憶部に登録するとともに、広告情報の更新がなされたタイミングで、該広告情報に適合する差異情報が登録された宛先を選択し、前記更新された広告情報を送信すること、
を特徴とする請求項９に記載の情報サーバ。
【請求項１１】
請求項６乃至８いずれか一に記載の商品管理装置と接続され、所定の属性情報が与えられた広告情報を記憶保持する広告情報記憶部と、前記各商品管理装置と関連付けられた宛先情報を記憶保持する利用者情報記憶部と、を備える情報サーバに実行させるコンピュータプログラムであって、
前記商品管理装置から受信した差異情報を、前記利用者情報記憶部に記憶保持された宛先と関連付けて記憶保持する処理と、
広告情報の更新がなされたタイミングで、該広告情報の属性情報に適合する差異情報が登録された宛先を検索する処理と、
前記検索した宛先に対して、前記更新された広告情報を送信する処理と、を実行させるコンピュータプログラム。
【請求項１２】
請求項６乃至８いずれか一に記載の商品管理装置と接続され、所定の属性情報が与えられた広告情報を記憶保持する広告情報記憶部と、前記各商品管理装置と関連付けられた宛先情報を記憶保持する利用者情報記憶部と、を備える情報サーバに実行させるコンピュータプログラムであって、
前記商品管理装置から送信された差異情報に対応する広告情報を検索する処理と、
前記利用者情報記憶部を検索して、更新された広告情報差異情報が送信された商品管理装置に対応する宛先を抽出する処理と、
前記検索した宛先に対して、前記検索した広告情報を送信する処理と、を実行させるコンピュータプログラム。
【発明の詳細な説明】
【技術分野】
【０００１】
本発明は、広告配信システム、装置、及び、プログラムに関し、特に、無線タグを利用した広告配信システム、広告配信方法、装置、及び、プログラムに関する。
【背景技術】
【０００２】
印刷物による広告に代えて、電子メールシステム等を利用した電子広告を配信する方法が知られている。この種の電子広告は送付コストを抑えることが可能であるが、ユーザの嗜好や希望に合致する広告が配信される保証はなく広告効果も高くはない。そこで、例えば、特許文献１、２には、予めユーザの嗜好や希望等を収集しておき、ユーザの嗜好や希望を考慮して電子広告を配信するようにした広告配信システムが紹介されている。
【０００３】
【特許文献１】特開２００３−２６３５８５号公報
【特許文献２】特開２００３−３６３８８号公報
【発明の開示】
【発明が解決しようとする課題】
【０００４】
しかしながら、上記したユーザの嗜好や希望を収集すること自体、相応の時間・費用・労力を要するという問題点がある。また、ユーザ側にとってみても、嗜好や配信希望を登録する作業自体煩雑であり、また、一旦登録した後は、必要のない広告情報が送信され続けてしまう事態を避けるため、登録事項を把握し適宜修正しなければならないという負担が生じている。
【０００５】
本発明は、上記した事情に鑑みてなされたものであって、その目的とするところは、広告配信側ユーザ側双方にとって負担が少なく、また、良好な広告効果が期待できる広告配信システム、装置、及び、プログラムを提供することにある。
【課題を解決するための手段】
【０００６】
本発明の第１の視点によれば、商品を収納する商品収納部と、前記各商品に付された無線タグを読み出すタグ読出部と、を備える商品管理装置と、広告情報を配信する情報サーバとを接続した広告配信システムが提供される。この広告配信システムにおいて、前記商品管理装置は、前記商品収納部に格納された商品群を監視し、所定時間前の商品群との間に差異が生じた場合に、当該差異情報を送信する異動報知部と、を備える。また、前記情報サーバは、所定の属性情報が与えられた広告情報を記憶保持する広告情報記憶部と、前記商品管理装置と関連付けられた宛先情報を記憶保持する利用者情報記憶部と、前記商品管理装置から受信した差異情報と前記広告情報の属性情報に基いて選択した広告情報を前記差異情報が送信された商品管理装置に対応する宛先に送信する制御部と、を備えることを特徴とする。
【０００７】
また、本発明の第２の視点によれば、前記広告配信システムにおいて、前記異動報知部が所定時間前の商品群との間に差異が生じた場合に差異情報を送信するのではなく、予め定める常備商品リストと収納されている商品群との間に、差異が生じた場合に、差異情報を送信すること、を特徴とする広告配信システムが提供される。
【０００８】
また、本発明の第３の視点によれば、前記した広告配信システムを構成する商品管理装置、情報サーバ、及び、コンピュータに実行させて上記した情報サーバとして動作させるためのコンピュータプログラムが提供される。
【発明の効果】
【０００９】
本発明によれば、ユーザ側においては、配信を希望する情報の登録又は管理を行うことなく、必要な広告情報の配信を受けることが可能となる。また、広告配信側においては、時間・費用・労力をかけることなく広告情報を必要としているユーザに配信することが可能となる。
【発明を実施するための最良の形態】
【００１０】
続いて、本発明を実施するための最良の形態について図面を参照して詳細に説明する。始めに、本発明の第１の実施形態の概要を説明する。本実施の形態は、ユーザの携帯端末に、典型的にはスーパーマーケットやデパートメントストア等の小売店の特売情報（バーゲン情報）を、電子メールの形態で送信する広告配信システムである。また、この特売情報（バーゲン情報）は、個人の要望に沿ったいわば『パーソナル電子チラシ』であり欲しい商品、指定商品に関する特売情報（バーゲン情報）のみをユーザに届けることで、良好な広告効果を得んとするものである。
【００１１】
図１は、本発明の第１の実施形態に係る広告配信システムの全体構成を表した図である。図１を参照すると、携帯通信端末１００と、情報サーバ２００と、商品管理装置４００とを、ネットワーク３００を介して接続した構成が示されている。
【００１２】
携帯通信端末１００は、ＰＤＡ（Ｐｅｒｓｏｎａｌ  Ｄｉｇｉｔａｌ  Ａｓｓｉｓｔａｎｔ）、携帯電話機などの通信機能を備えた携帯型の情報処理装置である。携帯通信端末１００は、アンテナを介して図示しない無線基地局との間で無線信号を送受する無線部、文字、画像の表示出力を行う表示部、情報操作入力を行うテンキー、スクロールキー等で構成される操作部、音声信号処理を行う音声処理部への入力、出力を行うマイクおよびスピーカ、楽音、報知音などを出力するスピーカ、電話帳情報、送受信メール情報、発着呼履歴情報、携帯電話端末の各種設定、プログラム情報などを格納する記憶部（メモリ）、電話（通話）機能、メール送受信機能、ｗｅｂ接続機能（インターネット接続機能）、その他携帯端末各部の制御を行う制御部、を備えて構成される。
【００１３】
情報サーバ２００は、スーパーマーケット、ドラッグストア、デパートメントストア等の小売業者、各種商品の賃貸等のサービス提供者、或いは、広告代理業者によって設置されるワークステーション、サーバ等の情報処理装置である。
【００１４】
商品管理装置４００は、図示しない商品収納部と、商品に添付されたＲＦ−Ｄタグ、無線ＩＣタグ、無線タグ、電子タグ、ＩＣタグ、ｔｒａｎｓｐｏｎｄｅｒなどとも呼ばれるＲＦＩＤから商品識別情報を所定のタイミングで取得するＲＦＩＤリーダ４０１と、図示しないメモリに予め登録された常備商品リストと、商品収納部に格納された商品群との間に差異が生じた場合に、差異情報を送信する異動報知部４０２とを備えた装置である。
【００１５】
この商品管理装置４００は、例えば、前記常備商品リストとして、食品類や家庭常備薬等を登録しておけば、食品収納庫、薬品収納庫として使用可能である。また、前記商品収納部に冷蔵機能が備えられている場合は、冷蔵庫として使用可能であり、また、前記商品収納部に温蔵機能が備えられている場合は、温蔵庫（ホットストッカー）として使用可能である。
【００１６】
なお、商品に添付されるＲＦＩＤは、無線を使ってデータの読み出し、書き込みができるｌＣチップと該チップに接続されたアンテナから構成される。また、このＲＦＩＤには、自ら発信するアクティブタイプのものと、パッシブタイプのものとがあるが、ＲＦＩＤリーダ４０１からの電波（探索信号）を受けて発信（応答）するパッシブタイプのものを好ましく用いることができる。
【００１７】
図２は、本実施形態に係る情報サーバ２００の詳細構成を表した図である。図２を参照すると、情報サーバ２００は、プログラムに従って後記する一連動作を制御する制御部２０１と、ネットワーク３００を介する情報の送受信を行って通信インタフェースを構成するネットワーク通信部２０２と、携帯通信端末１００のメールアドレス、商品管理装置４００から要請を受けた配信すべき商品識別情報等の利用者情報を格納する利用者情報ＤＢ２０３と、商品管理装置４００に収納される各種の商品の広告情報を格納する広告情報ＤＢ２０４と、を備えている。
【００１８】
続いて、本実施形態に係る広告配信システムの動作について図面を参照して詳細に説明する。図３は、本実施形態に係る広告配信システムの動作を表したフローチャートである。図３を参照すると、まず、商品管理装置４００のＲＦＩＤリーダ４０１が、所定のタイミングで商品情報（商品管理装置の商品収納部内に存在する商品の情報）を取得し（ステップＳ１１）、予め利用者により登録された常備商品リストとの差異を判定する（ステップＳ１２）。
【００１９】
続いて、商品管理装置４００は、差異情報として、不足している商品の商品識別情報を、自機識別情報（利用者情報；ＩＤ）とともに情報サーバ２００に対して送信する（ステップＳ１３）。
【００２０】
情報サーバ２００は、商品管理装置４００から前記差異情報と、自機識別情報（利用者情報；ＩＤ）とを受信すると、これらを利用者情報ＤＢ２０３に登録する（ステップＳ１４）。
【００２１】
情報サーバ２００は、特売日やセールの前日等に、広告情報ＤＢ２０４に格納される広告情報の更新、或いは、新規登録を受け付けると（ステップＳ１５）、利用者情報ＤＢ２０３を検索して、該更新（或いは新規登録）された広告情報の属性情報に適合する差異情報が登録された宛先（配信先）を抽出し（ステップＳ１６）、該宛先に対して、前記更新された広告情報を配信する（ステップＳ１７、Ｓ１８）。
【００２２】
以上の記載からも明らかなとおり、本実施形態では、ユーザに配信を受けたい広告情報のカテゴリ等を登録する手間をかけずに、特売等のある適切なタイミングで、広告情報を配信することが可能となる。
【００２３】
続いて、本発明の第２の実施形態の概要を説明する。本実施の形態は、ユーザの商品格納装置に欠品等の異動が生じ次第、速やかに広告情報を送信することで、良好な広告効果を得んとするものである。
【００２４】
本実施形態におけるシステム構成は、上述した第１の実施形態と略同様である。但し、商品管理装置４００は、常備商品リストの代わりに、所定時間前に商品収納部に収納されていた商品と、現時点での収納商品に差異が生じていた場合に、差異情報を情報サーバ２００に送信するものとする。
【００２５】
続いて、本実施形態に係る広告配信システムの動作について図面を参照して詳細に説明する。図４は、本実施形態に係る広告配信システムの動作を表したフローチャートである。図４を参照すると、まず、商品管理装置４００のＲＦＩＤリーダ４０１が、所定のタイミングで商品情報（商品管理装置の商品収納部内に存在する商品の情報）を取得し（ステップＳ２１）、前回判定時点での商品との差異を判定する（ステップＳ２２）。
【００２６】
続いて、商品管理装置４００は、差異情報として、不足している商品の商品識別情報を、自機識別情報（利用者情報；ＩＤ）とともに情報サーバ２００に対して送信する（ステップＳ２３）。
【００２７】
情報サーバ２００は、商品管理装置４００から前記差異情報と、自機識別情報（利用者情報；ＩＤ）とを受信すると（ステップＳ２４）、広告情報ＤＢ２０４から、該差異情報に含まれる商品に適合する広告情報を検索する（ステップＳ２５）。
【００２８】
続いて、情報サーバ２００は、利用者情報ＤＢ２０３から、前記差異情報の送信元の商品管理装置に対応する宛先（配信先）を検索し（ステップＳ２６）、該宛先に対して、前記検索した広告情報を配信する（ステップＳ２７、Ｓ２８）。
【００２９】
以上の記載からも明らかなとおり、本実施形態では、ユーザに手間をかけないという上記した第１の実施形態の利点に加えて、欠品等が生じ次第、速やかに広告情報を配信することが可能となっている。
【００３０】
以上本発明の好ましい実施形態を説明したが、その原理からも明らかなとおり、本発明の技術的範囲は、上述した各実施形態に限定されるものではなく、商品管理装置と連動する情報サーバを用いて、効果の高い広告を実施するという本発明の要旨を逸脱しない範囲で、各種の変形・置換をなしうることが可能であることはいうまでもない。例えば、上記した実施形態では、携帯端末に広告情報を配信するものとして説明したが、その他固定端末に送信するものとしてもよいし、同様の作用効果を奏することはもちろんである。
【００３１】
また上記した各実施形態では、商品管理装置４００が自機識別情報（利用者情報；ＩＤ）を情報サーバ２００に送信し、情報サーバ２００が利用者ＤＢからメールアドレスを求めるものとして説明したが、商品管理装置４００にユーザのメールアドレスを登録可能であれば、商品管理装置４００が直接差異情報とともにメールアドレスを送信し、情報サーバが該メールアドレスを用いるものとしてもよい。
【図面の簡単な説明】
【００３２】
【図１】本発明の第１の実施形態に係る広告配信システムの全体構成を表した図である。
【図２】本発明の第１の実施形態に係る情報サーバの詳細構成を表した図である。
【図３】本発明の第１の実施形態に係る広告配信システムの動作を表したフローチャートである。
【図４】本発明の第２の実施形態に係る広告配信システムの動作を表したフローチャートである。
【符号の説明】
【００３３】
１００  携帯通信端末
２００  情報サーバ
２０１  制御部
２０２  ネットワーク通信部
２０３  利用者情報データベース（利用者情報ＤＢ）
２０４  広告情報データベース（広告情報ＤＢ）
３００  ネットワーク
４００  商品管理装置
４０１  ＲＦＩＤリーダ（タグ読出部）
４０２  異動報知部
【図１】
2006260055.tif 000003
【図２】
2006260055.tif 000004
【図３】
2006260055.tif 000005
【図４】
2006260055.tif 000006